(57)【特許請求の範囲】
【請求項１】
赤外線を信号媒体として制御信号を送信するリモートコントロール送信器と、リモートコントロール送信器から送信される制御信号を受光する複数の受光素子と、受光素子により受光された赤外線信号を電気信号に変換する受信部と、受信部からの信号により機器の状態を制御する制御部とを備えたリモートコントロール装置において、受光信号の増幅度を受光信号の強度に応じて調整するゲインコントロール部が、複数の受信部に対して１つ存在し、このゲインコントロール部により全ての受光素子のゲインを同一に調整することを特徴とするリモートコントロール装置。
【請求項２】
前記受信部に受光信号の強度を比較する信号比較部を付加し、前記信号比較部の比較結果に基づいてゲイン調整を行うことを特徴とする請求項１記載のリモートコントロール装置。
【請求項３】
赤外線を信号媒体として制御信号を送信するリモートコントロール送信器と、リモートコントロール送信器から送信される制御信号を受光する複数の受光素子と、受光素子により受光された赤外線信号を電気信号に変換する受信部と、受信部からの信号により機器の状態を制御する制御部とを備えたリモートコントロール装置において、受光信号の増幅度を受光信号の強度に応じて調整するゲインコントロール部を受光素子それぞれに対して一つずつ設け、前記制御部内にゲインのレベルを入力して比較するゲイン比較部を設け、前記ゲイン比較部の比較結果に基づいて信号を選択することを特徴とするリモートコントロール装置。
【請求項４】
前記ゲイン比較部において、ゲインが最も低い受光素子からの信号を有効とする請求項３記載のリモートコントロール装置。
【請求項５】
複数の受光素子は異なる方向からの信号を受光する構造であることを特徴とする請求項１乃至４のいずれかに記載のリモートコントロール装置。
【請求項６】
受信部からの信号により状態を制御される機器は照明器具であることを特徴とする請求項１乃至５のいずれかに記載のリモートコントロール装置。
【発明の詳細な説明】
【０００１】
【発明の属する技術分野】
本発明は、リモートコントロールにより負荷の遠隔操作を行うリモートコントロール装置に関するものである。
【０００２】
【従来の技術】
従来、機器の動作状態を制御するための制御信号を、リモートコントロール（以下「リモコン」と略す）送信器から赤外線の搬送信号を用いて送信し、この送信された制御信号を機器に設けた受信部で受信し、その制御信号の内容に応じた制御を行うリモコン機器が広く用いられている。この種の赤外線を用いたリモコン機器においては、リモコン信号の到達性能改善及び指向性の改善のために複数の受光素子を使用する場合がある。
【０００３】
図５に複数の受光素子を使用する場合の従来の構成を示す。受信部１内では受光素子２が受けた信号を増幅した後、検波、波形整形等を行っているが、受信可能な信号の強さの範囲を広くするため、信号の増幅率を信号の強さに応じて変化させるゲインコントロール部４を設けている。すなわち、信号を受けていない状態ではゲインを高く設定しておき、弱い信号でもなるべく受信するようにしているが、一旦信号を受け取ると、その信号レベルに応じてゲインを低く下げることにより、その信号レベルよりも弱い信号やノイズを受信しないようにしている。しかし、複数の受光素子を用いる場合に、それぞれの受光素子で受光する信号の強弱やノイズの有無に差が生じることがあり、有効なリモコン信号を選択することが出来ず、リモコンによる機器の操作ができない場合がある。
【０００４】
このような問題を解決する手段として、特開平４−２９９６９４号に示された手段がある。この従来例では複数の受光信号を制御部に入力し、制御部の入力ポートに優先順位を付け、一つのポートが信号を受け付けているときには他のポートは閉じるため、受け付け拒否及び誤動作が無くなる、としている。また、特開平３−６２６３７号においては、複数の受光部の受光状態の良否を順に検出して、最も受光状態の良い受光部を選択して使用するという例が示されている。
【０００５】
【発明が解決しようとする課題】
しかしながら、上記の従来例は複数の受光部を順次切替えて使用するものであり、複数の受光部に同時に入力された信号やノイズのうち正しい信号を選択することはできない。
【０００６】
本発明は上記の問題点に鑑みてなされたもので、その目的とするところは、複数の受光素子を有するリモートコントロール装置において、同時に受光した複数の受光信号から、有効な受光信号を選択することにより光ノイズ等の影響を低減することにある。
【０００７】
【課題を解決するための手段】
本発明にあっては、上記の課題を解決するために、図１及び図６に示すように、赤外線を信号媒体として制御信号を送信するリモートコントロール送信器１２と、リモートコントロール送信器から送信される制御信号を受光する複数の受光素子２と、受光素子により受光された赤外線信号を電気信号に変換する受信部１と、受信部からの信号により機器の状態を制御する制御部８とを備えたリモートコントロール装置において、受光信号の増幅度を受光信号の強度に応じて調整するゲインコントロール部４が、複数の受信部１に対して１つ存在し、このゲインコントロール部４により全ての受光素子のゲインを同一に調整することを特徴とするものである。
【０００８】
また、別の手段として、図３に示すように、受信部１に、受光信号の強度を比較する信号比較部９を付加し、この信号比較部９の比較結果に基づいてゲイン調整を行うようにしてもよい。さらにまた、図４に示すように、ゲインコントロール部４を受光素子２のそれぞれに対して一つずつ設け、制御部８内にゲインのレベルを入力して比較するゲイン比較部９ｇを設け、このゲイン比較部９ｇの比較結果に基づいて信号を選択するようにしても良い。
【０００９】
【発明の実施の形態】
本発明の第１実施例のブロック図を図１に示す。本実施例の受信部１は、ピンフォトダイオードからなる受光素子２と、受光信号を増幅する増幅器３及びフィルタ回路５、検波回路６、波形整形回路７等から構成されている。受光素子２で受光された信号は増幅器３によって増幅された後、フィルタ回路５、検波回路６、波形整形回路７等を経て出力される。増幅器３の増幅率は信号の強弱に応じてゲインコントロール部４によって調整され、受信部１の出力レベルは信号の強弱に関わらず同一である。ゲインコントロール部４は、受光素子２で受光される信号が無い時にはゲインが最も高い状態であり、信号を受けるとその強さに比例してゲインが下がるように構成されている。
【００１０】
図１において、複数の受光素子２で受光した信号は、ただ一つ設けられたゲインコントロール部４に入力される。信号の入力方法としては、例えば一定時間ごとに入力する受光素子２を切替える、又は受光信号全てを同時に入力する、等の方法を用いれば良い。ゲインコントロール部４では入力された信号に応じてゲインを下げる。後から入力された信号がそれ以前に入力された信号よりも強ければ、これに合わせてゲインを下げ、後から入力された信号が弱くてもゲインは上がらないので、ゲインは最も強い信号に合わせて維持される。このゲインレベルを全ての増幅器３に送出する。
【００１１】
図２は、受信部内での各過程の信号波形を示す。図２（ａ）はゲインを個別に調整した場合であり、図２（ｂ）は本実施例によるものである。図２において、（ａ）の場合では、受光素子Ａ及びＢの信号の増幅率α，βが異なり、弱い信号を受光した受光素子Ｂの増幅率βが高くなっている。このため、受光素子Ｂで受光されたノイズが検波できるレベルにまで増幅され、出力段では受光素子Ａで受光したリモコン信号に混入している。一方、（ｂ）の場合では、ゲインコントロール部４で、強い信号を受光した受光素子Ａに合わせてゲインレベルを同一にしているので、全ての受光信号が増幅率αで増幅され、その結果、受光素子Ｂからの信号は検波されず、出力に混入しない。
【００１２】
このように、ゲインコントロール部４で全ての受光素子２のゲインレベルを同一にすることにより、増幅率は最も強い信号のみを検波できるレベルとなり、弱い信号は検波できるレベルまで増幅されないため、最も強い信号のみが信号波形となって出力されるので、比較的信号の弱い光ノイズ等は出力されない。
【００１３】
図６に本発明を用いたリモートコントロール照明器具の一例を示す。図６において照明器具１１はリモコン送信器１２により負荷の操作を行う。照明器具１１は複数の受信部１を持っており、それぞれ異なる方向に向けて設置されている。図のような位置からリモコン送信器１２によりリモコン信号を送信した場合、一つの受信部Ａは正しいリモコン信号を受信するが、他の受信部Ｂにはリモコン信号が到達しにくく、照明器具１１から発せられる光ノイズ等を受信することが有り得るが、このような場合でも受信部Ａにより受信されたリモコン信号のみが制御部へ出力される。
【００１４】
本発明の第２実施例のブロック図を図３に示す。本実施例は、図１に示した第１実施例の構成に加え、ゲインコントロール部４の前段に信号比較部９を設けたものである。信号比較部９では、受光信号の強弱と継続時間を比較し、複数の受光信号の中で継続して信号の強いものをゲイン調整用としてゲインコントロール部４に入力する。信号の比較の方法としては、一定時間毎の信号強度を記録してその平均値を比較する、等の方法を用いればよい。ゲインコントロール部４の動作は図１に示した第１実施例と同様で、全ての受光素子のゲインを同一にする。これにより、強い光ノイズが入っても、連続的なものでなければゲイン調整の対象にはならないため、瞬間的な強いノイズに対しても効果がある。
【００１５】
本発明の第３実施例のブロック図を図４に示す。本実施例では、受信部１内のゲインコントロール部４は複数の受光素子２のそれぞれに対応して一つずつ設けている。受光素子２で受光された信号は、それぞれ増幅器３により増幅された後、フィルタ回路５、検波回路６、波形整形回路７等を経て出力される。増幅器３の増幅率は信号の強弱に応じて、受光素子２毎に別個のゲインコントロール部４によって調整し、ここで用いたゲイン調整レベルは、信号波形と共に制御部８へ入力される。制御部８には、入力されたゲイン調整レベルを比較するゲイン比較部９ｇを設けており、最もゲインレベルが低い受光素子２からのリモコン信号を選択するような制御を行う。これにより、複数の受光素子２により受光した信号の中で、最も強い信号を選択して制御することができる。
【００１６】
【発明の効果】
本発明によれば、複数の受光素子を持つリモートコントロール装置において、複数の受光素子で同時に受光した信号及び光ノイズの中から、正しい信号を選択することができるので、光ノイズ等による影響が低減されるという効果がある。
【図面の簡単な説明】
【図１】本発明の第１実施例のブロック図である。
【図２】本発明の第１実施例の動作説明図である。
【図３】本発明の第２実施例のブロック図である。
【図４】本発明の第３実施例のブロック図である。
【図５】従来例のブロック図である。
【図６】本発明の各実施例を用いた照明器具の使用状態を示す斜視図である。
【符号の説明】
１    受信部
２    受光素子
３    増幅器
４    ゲインコントロール部
５    フィルタ回路
６    検波回路
７    波形整形回路
８    制御部
９    信号比較部
【図１】
0003747550.tif 000002
【図２】
0003747550.tif 000003
【図３】
0003747550.tif 000004
【図４】
0003747550.tif 000005
【図５】
0003747550.tif 000006
【図６】
0003747550.tif 000007